(57)【要約】【課題】サーバに存在するコンテンツを、メモリ容量の限られたモバイル機器で視聴する場合に、データの蓄積可能容量が小さいため、視聴したいダイジェスト映像を思うように取り出せないという課題があった。【解決手段】蓄積可能容量取得部１はダイジェスト蓄積用メモリ２の蓄積可能容量を取得する。ダイジェスト生成条件入力部３は、コンテンツの出力データ量を制限するため、ダイジェスト生成条件を設定する。ダイジェスト自動生成条件作成部４は、蓄積可能容量取得部１で取得された蓄積可能容量、及びダイジェスト生成条件入力部３から得られたダイジェスト生成条件から、ダイジェスト自動生成条件を作成する。ダイジェスト生成部５はダイジェスト自動生成条件に基づき、映像データ蓄積部６に保持されたコンテンツのダイジェスト映像を生成する。【選択図】        図１
2005020283.tif 000002
【特許請求の範囲】
【請求項１】
映像データ蓄積部に保持されたコンテンツのデータを取り出し、メモリ容量の限られた機器において前記コンテンツのダイジェスト映像を出力するためのダイジェスト映像自動作成・表示装置であって、
ダイジェスト編集された映像データを蓄積するダイジェスト蓄積用メモリと、前記ダイジェスト蓄積用メモリの蓄積可能容量を取得する蓄積可能容量取得部と、
前記コンテンツの出力データ量を制限するため、ダイジェスト生成条件を設定するダイジェスト生成条件入力部と、
前記蓄積可能容量取得部で取得された蓄積可能容量、及び前記ダイジェスト生成条件入力部から得られたダイジェスト生成条件から、ダイジェスト自動生成条件を作成するダイジェスト自動生成条件作成部と、
前記ダイジェスト自動生成条件に基づき、前記映像データ蓄積部に保持されたコンテンツのダイジェスト映像を生成するダイジェスト生成部と、
前記ダイジェスト生成部で生成されたダイジェスト映像を表示するダイジェスト表示部と、を具備することを特徴とするダイジェスト映像自動作成・表示装置。
【請求項２】
映像データ蓄積部に保持されたコンテンツのデータを取り出し、通信帯域の限られたデータ通信経路を介してメモリ容量の限られた機器に前記コンテンツのダイジェスト映像を伝送して出力するためのダイジェスト映像自動作成・表示装置であって、
前記ダイジェスト編集された映像データを蓄積するダイジェスト蓄積用メモリと、
前記データ通信経路で通信可能なデータの通信帯域を取得する通信帯域取得部と、
コンテンツの出力データ量を制限するため、ダイジェスト生成条件を設定するダイジェスト生成条件入力部と、
前記通信帯域取得部で取得された通信帯域、及び前記ダイジェスト生成条件入力部から得られたダイジェスト生成条件から、ダイジェスト自動生成条件を作成するダイジェスト自動生成条件作成部と、
前記ダイジェスト自動生成条件に基づき、前記映像データ蓄積部に保持されたコンテンツのダイジェスト映像を生成するダイジェスト生成部と、
前記ダイジェスト生成部で生成されたダイジェスト映像を表示するダイジェスト表示部と、を具備することを特徴とするダイジェスト映像自動作成・表示装置。
【請求項３】
前記ダイジェスト表示部は、
ダイジェスト映像のサーチ再生ができる機能を備えたことを特徴とする請求項１又は２記載のダイジェスト映像自動作成・表示装置。
【請求項４】
前記ダイジェスト生成条件入力部は、
ダイジェスト映像の再生成を行うか否かを選択する再生成選択手段と、
前記再生成選択手段によりダイジェスト映像の再生成が選択されたとき、ダイジェスト映像の再生成条件を入力するダイジェスト再生成条件入力手段と、を有するものであることを特徴とする請求項１〜３の何れか１項記載のダイジェスト映像自動作成・表示装置。
【請求項５】
前記ダイジェスト生成部は、
前記ダイジェスト映像の蓄積可能容量に合わせてダイジェスト映像のビットレートを変換することを特徴とする請求項１記載のダイジェスト映像自動作成・表示装置。
【請求項６】
前記ダイジェスト生成部は、
前記データ通信経路の通信帯域に合わせてダイジェスト映像のビットレートを変換することを特徴とする請求項２記載のダイジェスト映像自動作成・表示装置。
【請求項７】
前記ダイジェスト生成部は、
前記ダイジェスト映像の蓄積可能容量に合わせてダイジェスト映像の画像サイズを変換することを特徴とする請求項１記載のダイジェスト映像自動作成・表示装置。
【請求項８】
前記ダイジェスト生成部は、
前記データ通信経路の通信帯域に合わせてダイジェスト映像の画像サイズを変換することを特徴とする請求項２記載のダイジェスト映像自動作成・表示装置。
【請求項９】
前記ダイジェスト生成部は、
前記ダイジェスト映像の蓄積可能容量に合わせてダイジェスト映像の画像圧縮フォーマットを変換することを特徴とする請求項１記載のダイジェスト映像自動作成・表示装置。
【請求項１０】
前記ダイジェスト生成部は、
前記データ通信経路の通信帯域に合わせてダイジェスト映像の画像圧縮フォーマットを変換することを特徴とする請求項２記載のダイジェスト映像自動作成・表示装置。
【請求項１１】
前記ダイジェスト生成部は、
生成されるダイジェスト映像の最小サイズの制限を設けることを特徴とする請求項１〜１０の何れか１項記載のダイジェスト映像自動作成・表示装置。
【請求項１２】
前記ダイジェスト自動生成条件作成部は、
ダイジェスト自動生成条件が、前記ダイジェスト生成条件入力部から入力されたダイジェスト生成条件を満たすことができない場合に、前記生成条件を満たせないことを通知する機能を有することを特徴とする請求項１〜１１の何れか１項記載のダイジェスト映像自動作成・表示装置。
【請求項１３】
映像データ蓄積部に保持されたコンテンツのデータを取り出し、前記コンテンツのダイジェスト映像を出力するためのダイジェスト映像自動作成方法であって、
メモリ容量の限られた機器において、ダイジェスト蓄積用メモリの蓄積可能容量を用いることで、限られたメモリ容量に合わせたダイジェスト映像を生成することを特徴とするダイジェスト映像自動作成方法。
【請求項１４】
映像データ蓄積部に保持されたコンテンツのデータを取り出し、前記コンテンツのダイジェスト映像を出力するためのダイジェスト映像自動作成方法であって、
通信帯域の限られたシステムにおいて、通信経路で通信可能なデータの通信帯域を用いることで、限られた通信帯域に合わせたダイジェスト映像を生成することを特徴とするダイジェスト映像自動作成方法。
【請求項１５】
映像データ蓄積部に保持されたコンテンツのデータを取り出し、メモリ容量の限られた機器において前記コンテンツのダイジェスト映像を出力するためのダイジェスト映像自動作成方法であって、
ダイジェスト編集された映像データを蓄積するダイジェスト蓄積用メモリの蓄積可能容量を取得する蓄積可能容量取得ステップと、
前記コンテンツの出力データ量を制限するため、ダイジェスト生成条件を設定するダイジェスト生成条件入力ステップと、
前記蓄積可能容量取得ステップで取得された蓄積可能容量、及び前記ダイジェスト生成条件入力ステップから得られたダイジェスト生成条件から、ダイジェスト自動生成条件を作成するダイジェスト自動生成条件作成ステップと、
前記ダイジェスト自動生成条件に基づき、前記映像データ蓄積部に保持されたコンテンツのダイジェスト映像を生成するダイジェスト生成ステップと、を具備することを特徴とするダイジェスト映像自動作成方法。
【請求項１６】
映像データ蓄積部に保持されたコンテンツのデータを取り出し、通信帯域の限られたデータ通信経路を介してメモリ容量の限られた機器に前記コンテンツのダイジェスト映像を伝送して出力するためのダイジェスト映像自動作成方法であって、
前記データ通信経路で通信可能なデータの通信帯域を取得する通信帯域取得ステップと、
前記コンテンツの出力データ量を制限するため、ダイジェスト生成条件を設定するダイジェスト生成条件入力ステップと、
前記通信帯域取得ステップで取得された通信帯域、及び前記ダイジェスト生成条件入力ステップから得られたダイジェスト生成条件から、ダイジェスト自動生成条件を作成するダイジェスト自動生成条件作成ステップと、
前記ダイジェスト自動生成条件に基づき、前記映像データ蓄積部に保持されたコンテンツのダイジェスト映像を生成するダイジェスト生成ステップと、を具備することを特徴とするダイジェスト映像自動作成方法。
【請求項１７】
前記ダイジェスト生成条件入力ステップは、
ダイジェスト映像の再生成を行うか否かを選択する再生成選択ステップと、
前記再生成選択ステップにより再生成が選択されたとき、ダイジェスト映像の再生成条件を入力するダイジェスト再生成条件入力ステップと、を有することを特徴とする請求項１３〜１６の何れか１項記載のダイジェスト映像自動作成方法。
【請求項１８】
前記ダイジェスト生成ステップでは、
前記ダイジェスト映像の蓄積可能容量に合わせてダイジェスト映像のビットレートを変換することを特徴とする請求項１５記載のダイジェスト映像自動作成方法。
【請求項１９】
前記ダイジェスト生成ステップでは、
前記データ通信経路の通信帯域に合わせてダイジェスト映像のビットレートを変換することを特徴とする請求項１６記載のダイジェスト映像自動作成方法。
【請求項２０】
前記ダイジェスト生成ステップでは、
前記ダイジェスト映像の蓄積可能容量に合わせてダイジェスト映像の画像サイズを変換することを特徴とする請求項１５記載のダイジェスト映像自動作成方法。
【請求項２１】
前記ダイジェスト生成ステップでは、
前記データ通信経路の通信帯域に合わせてダイジェスト映像の画像サイズを変換することを特徴とする請求項１６記載のダイジェスト映像自動作成方法。
【請求項２２】
前記ダイジェスト生成ステップでは、
前記ダイジェスト映像の蓄積可能容量に合わせてダイジェスト映像の画像圧縮フォーマットを変換することを特徴とする請求項１５記載のダイジェスト映像自動作成方法。
【請求項２３】
前記ダイジェスト生成ステップでは、
前記データ通信経路の通信帯域に合わせてダイジェスト映像の画像圧縮フォーマットを変換することを特徴とする請求項１６記載のダイジェスト映像自動作成方法。
【請求項２４】
前記ダイジェスト自動生成条件作成ステップでは、
ダイジェスト自動生成条件が、前記ダイジェスト生成条件入力ステップから入力されたダイジェスト生成条件を満たすことができない場合に、前記生成条件を満たせないことを通知することを特徴とする請求項１３〜２３の何れか１項記載のダイジェスト映像自動作成方法。
【請求項２５】
映像データ蓄積部に保持されたコンテンツのデータを取り出し、前記コンテンツのダイジェスト映像を出力するためのダイジェスト映像自動作成方法を記録した記録媒体であって、
メモリ容量の限られた機器において、ダイジェスト蓄積用メモリの蓄積可能容量を用いることで、限られたメモリ容量に合わせたダイジェスト映像を生成するダイジェスト映像自動作成プログラムを記載した記録媒体。
【請求項２６】
映像データ蓄積部に保持されたコンテンツのデータを取り出し、前記コンテンツのダイジェスト映像を出力するためのダイジェスト映像自動作成方法を記録した記録媒体であって、
通信帯域の限られたシステムにおいて、通信経路で通信可能なデータの通信帯域を用いることで、限られた通信帯域に合わせたダイジェスト映像を生成するダイジェスト映像自動作成プログラムを記載した記録媒体。
【請求項２７】
映像データ蓄積部に保持されたコンテンツのデータを取り出し、メモリ容量の限られた機器において前記コンテンツのダイジェスト映像を出力するためのダイジェスト映像自動作成方法を記録した記録媒体であって、
映像データ蓄積部に保持されたコンテンツのデータを取り出し、メモリ容量の限られた機器において前記コンテンツのダイジェスト映像を出力するため、
ダイジェスト編集された映像データを蓄積するダイジェスト蓄積用メモリの蓄積可能容量を取得する蓄積可能容量取得ステップと、
前記コンテンツの出力データ量を制限するため、ダイジェスト生成条件を設定するダイジェスト生成条件入力ステップと、
前記蓄積可能容量取得ステップで取得された蓄積可能容量、及び前記ダイジェスト生成条件入力ステップから得られたダイジェスト生成条件から、ダイジェスト自動生成条件を作成するダイジェスト自動生成条件作成ステップと、
前記ダイジェスト自動生成条件に基づき、前記映像データ蓄積部に保持されたコンテンツのダイジェスト映像を生成するダイジェスト生成ステップと、を具備するダイジェスト映像自動作成プログラムを記載した記録媒体。
【請求項２８】
映像データ蓄積部に保持されたコンテンツのデータを取り出し、通信帯域の限られたデータ通信経路を介してメモリ容量の限られた機器に前記コンテンツのダイジェスト映像を伝送して出力するためのダイジェスト映像自動作成方法を記録した記録媒体であって、
映像データ蓄積部に保持されたコンテンツのデータを取り出し、通信帯域の限られたデータ通信経路を介してメモリ容量の限られた機器に前記コンテンツのダイジェスト映像を伝送して出力するため、
前記データ通信経路で通信可能なデータの通信帯域を取得する通信帯域取得ステップと、
前記コンテンツの出力データ量を制限するため、ダイジェスト生成条件を設定するダイジェスト生成条件入力ステップと、
前記通信帯域取得ステップで取得された通信帯域、及び前記ダイジェスト生成条件入力ステップから得られたダイジェスト生成条件から、ダイジェスト自動生成条件を作成するダイジェスト自動生成条件作成ステップと、
前記ダイジェスト自動生成条件に基づき、前記映像データ蓄積部に保持されたコンテンツのダイジェスト映像を生成するダイジェスト生成ステップと、を具備するダイジェスト映像自動作成プログラムを記載した記録媒体。
【請求項２９】
前記ダイジェスト生成条件入力ステップは、
ダイジェスト映像の再生成を行うか否かを選択する再生成選択ステップと、
前記再生成選択ステップにより再生成が選択されたとき、ダイジェスト映像の再生成条件を入力するダイジェスト再生成条件入力ステップと、を有することを特徴とする請求項２５〜２８の何れか１項記載のダイジェスト映像自動作成プログラムを記載した記録媒体。
【請求項３０】
前記ダイジェスト生成ステップでは、
前記ダイジェスト映像の蓄積可能容量に合わせてダイジェスト映像のビットレートを変換することを特徴とする請求項２７記載のダイジェスト映像自動作成プログラムを記載した記録媒体。
【請求項３１】
前記ダイジェスト生成ステップでは、
前記データ通信経路の通信帯域に合わせてダイジェスト映像のビットレートを変換することを特徴とする請求項２８記載のダイジェスト映像自動作成プログラムを記載した記録媒体。
【請求項３２】
前記ダイジェスト生成ステップでは、
前記ダイジェスト映像の蓄積可能容量に合わせてダイジェスト映像の画像サイズを変換することを特徴とする請求項２７記載のダイジェスト映像自動作成プログラムを記載した記録媒体。
【請求項３３】
前記ダイジェスト生成ステップでは、
前記データ通信経路の通信帯域に合わせてダイジェスト映像の画像サイズを変換することを特徴とする請求項２８記載のダイジェスト映像自動作成プログラムを記載した記録媒体。
【請求項３４】
前記ダイジェスト生成ステップでは、
前記ダイジェスト映像の蓄積可能容量に合わせてダイジェスト映像の画像圧縮フォーマットを変換することを特徴とする請求項２７記載のダイジェスト映像自動作成プログラムを記載した記録媒体。
【請求項３５】
前記ダイジェスト生成ステップでは、
前記データ通信経路の通信帯域に合わせてダイジェスト映像の画像圧縮フォーマットを変換することを特徴とする請求項２８記載のダイジェスト映像自動作成プログラムを記載した記録媒体。
【請求項３６】
前記ダイジェスト自動生成条件作成ステップでは、
ダイジェスト自動生成条件が、前記ダイジェスト生成条件入力ステップから入力されたダイジェスト生成条件を満たすことができない場合に、前記生成条件を満たせないことを通知することを特徴とする請求項２５〜３５の何れか１項記載のダイジェスト映像自動作成プログラムを記載した記録媒体。
【発明の詳細な説明】
【０００１】
【発明の属する技術分野】
本発明は、蓄積された映像コンテンツをダイジェストに変換して視聴する場合に利用するダイジェスト映像自動作成・表示装置、ダイジェスト映像自動作成方法、及びそのプログラムを記載した記録媒体に関する。
【０００２】
【従来の技術】
近年、マルチメディアコンテンツの配信や、コンテンツサーバとモバイル機器との通信などで、長いコンテンツの内容を簡単に把握するためのダイジェスト映像を自動的に生成する技術が注目を浴びている。また、デジタルビデオデッキなどの普及に伴い、家庭の内外を問わず個人の所有するデジタルコンテンツを視聴しようとする要望が多い。
【０００３】
コンテンツを視聴するための機器として、携帯性に優れた映像表示機器の開発が行われている。このような機器は、映像を蓄積するために充分な容量を持っていないものが多い。映像の保存先としてとして様々なメモリカードを使用する方法があるが、データ量が多い場合は、有線もしくは無線でデータを受信しながら映像を見ざるを得ない。しかし、メモリカードを用いる方法は、メモリカードの容量に限度があり、また有線及び無線のようなデータを移動する方法も、通信帯域が限られていることもある。このため、大きなサイズのデータを蓄積したり、大容量のデータを送ったりすることに限界がある。
【０００４】
従来のダイジェスト作成方法としては、コンテンツ内のシーンチェンジを手がかりに複数の映像をまとめて、ダイジェストとしての情報効率を上げようとするものが存在した（特許文献１、特許文献２）。このようなダイジェスト作成方法の中には、シーンチェンジからどれくらいの時間の映像を再生するのかを指定するものがあった。この指定方法としては、最初から固定の時間を１つ又は複数指定するものや（特許文献３）、入力インターフェースを持ち、可変にしてあるものなどが提案されている（特許文献４、特許文献５）。
【０００５】
【特許文献１】
特開平９−２８４６９８号公報
【特許文献２】
特開平１０−２３２８８４号公報
【特許文献３】
特開平１１−８８８０７号公報
【特許文献４】
特開平８−２９４０８３号公報
【特許文献５】
特開２００２−２６２２２８号公報
【０００６】
【発明が解決しようとする課題】
しかし上記の方法では、ダイジェストを蓄積するための蓄積領域については言及されていなかった。ダイジェスト映像は、短いダイジェストでどれだけ効率的な視聴ができるかがターゲットとなっており、蓄積領域を最大限に生かして、できるだけ多くの映像コンテンツを視聴するための方法は、これまで考えられていなかった。
【０００７】
映像の内容を確認するという目的を果たすためには、映像のサーチ再生が可能で、できるだけ多くの情報、即ち長い時間の映像が視聴でき、利用者の要望に柔軟に応えることができるものが要求されている。
【０００８】
本発明は、このような従来の問題点に鑑みてなされたものであって、蓄積された映像コンテンツを視聴する場合に、限られた蓄積可能容量に合わせて映像コンテンツの再生時間、画像サイズ、又はデータのビットレートなどを変更するべくダイジェスト映像を自動生成することにより、蓄積領域の限られた機器に合わせたダイジェスト映像を作成して視聴できるようにすることを第一の目的とする。
【０００９】
また、データ蓄積装置などに蓄積された映像コンテンツのサイズが大きい場合、画面サイズ変換や圧縮フォーマット変換をすることにより、蓄積可能容量の限られたメモリを持つ機器に合わせ、ダイジェスト映像を作成して視聴できるようにすることを第二の目的とする。
【００１０】
【課題を解決するための手段】
本願の請求項１の発明は、映像データ蓄積部に保持されたコンテンツのデータを取り出し、メモリ容量の限られた機器において前記コンテンツのダイジェスト映像を出力するためのダイジェスト映像自動作成・表示装置であって、ダイジェスト編集された映像データを蓄積するダイジェスト蓄積用メモリと、前記ダイジェスト蓄積用メモリの蓄積可能容量を取得する蓄積可能容量取得部と、前記コンテンツの出力データ量を制限するため、ダイジェスト生成条件を設定するダイジェスト生成条件入力部と、前記蓄積可能容量取得部で取得された蓄積可能容量、及び前記ダイジェスト生成条件入力部から得られたダイジェスト生成条件から、ダイジェスト自動生成条件を作成するダイジェスト自動生成条件作成部と、前記ダイジェスト自動生成条件に基づき、前記映像データ蓄積部に保持されたコンテンツのダイジェスト映像を生成するダイジェスト生成部と、前記ダイジェスト生成部で生成されたダイジェスト映像を表示するダイジェスト表示部と、を具備することを特徴とする。
【００１１】
本願の請求項２の発明は、映像データ蓄積部に保持されたコンテンツのデータを取り出し、通信帯域の限られたデータ通信経路を介してメモリ容量の限られた機器に前記コンテンツのダイジェスト映像を伝送して出力するためのダイジェスト映像自動作成・表示装置であって、前記ダイジェスト編集された映像データを蓄積するダイジェスト蓄積用メモリと、前記データ通信経路で通信可能なデータの通信帯域を取得する通信帯域取得部と、コンテンツの出力データ量を制限するため、ダイジェスト生成条件を設定するダイジェスト生成条件入力部と、前記通信帯域取得部で取得された通信帯域、及び前記ダイジェスト生成条件入力部から得られたダイジェスト生成条件から、ダイジェスト自動生成条件を作成するダイジェスト自動生成条件作成部と、前記ダイジェスト自動生成条件に基づき、前記映像データ蓄積部に保持されたコンテンツのダイジェスト映像を生成するダイジェスト生成部と、前記ダイジェスト生成部で生成されたダイジェスト映像を表示するダイジェスト表示部と、を具備することを特徴とする。
【００１２】
本願の請求項３の発明は、請求項１又は２のダイジェスト映像自動作成・表示装置において、前記ダイジェスト表示部は、ダイジェスト映像のサーチ再生ができる機能を備えたことを特徴とする。
【００１３】
本願の請求項４の発明は、請求項１〜３の何れか１項のダイジェスト映像自動作成・表示装置において、前記ダイジェスト生成条件入力部は、ダイジェスト映像の再生成を行うか否かを選択する再生成選択手段と、前記再生成選択手段によりダイジェスト映像の再生成が選択されたとき、ダイジェスト映像の再生成条件を入力するダイジェスト再生成条件入力手段と、を有するものであることを特徴とする。
【００１４】
本願の請求項５の発明は、請求項１のダイジェスト映像自動作成・表示装置において、前記ダイジェスト生成部は、前記ダイジェスト映像の蓄積可能容量に合わせてダイジェスト映像のビットレートを変換することを特徴とする。
【００１５】
本願の請求項６の発明は、請求項２のダイジェスト映像自動作成・表示装置において、前記ダイジェスト生成部は、前記データ通信経路の通信帯域に合わせてダイジェスト映像のビットレートを変換することを特徴とする。
【００１６】
本願の請求項７の発明は、請求項１のダイジェスト映像自動作成・表示装置において、前記ダイジェスト生成部は、前記ダイジェスト映像の蓄積可能容量に合わせてダイジェスト映像の画像サイズを変換することを特徴とする。
【００１７】
本願の請求項８の発明は、請求項２のダイジェスト映像自動作成・表示装置において、前記ダイジェスト生成部は、前記データ通信経路の通信帯域に合わせてダイジェスト映像の画像サイズを変換することを特徴とする。
【００１８】
本願の請求項９の発明は、請求項１のダイジェスト映像自動作成・表示装置において、前記ダイジェスト生成部は、前記ダイジェスト映像の蓄積可能容量に合わせてダイジェスト映像の画像圧縮フォーマットを変換することを特徴とする。
【００１９】
本願の請求項１０の発明は、請求項２のダイジェスト映像自動作成・表示装置において、前記ダイジェスト生成部は、前記データ通信経路の通信帯域に合わせてダイジェスト映像の画像圧縮フォーマットを変換することを特徴とする。
【００２０】
本願の請求項１１の発明は、請求項１〜１０の何れか１項のダイジェスト映像自動作成・表示装置において、前記ダイジェスト生成部は、生成されるダイジェスト映像の最小サイズの制限を設けることを特徴とする。
【００２１】
本願の請求項１２の発明は、請求項１〜１１の何れか１項のダイジェスト映像自動作成・表示装置において、前記ダイジェスト自動生成条件作成部は、ダイジェスト自動生成条件が、前記ダイジェスト生成条件入力部から入力されたダイジェスト生成条件を満たすことができない場合に、前記生成条件を満たせないことを通知する機能を有することを特徴とする。
【００２２】
本願の請求項１３の発明は、映像データ蓄積部に保持されたコンテンツのデータを取り出し、前記コンテンツのダイジェスト映像を出力するためのダイジェスト映像自動作成方法であって、メモリ容量の限られた機器において、ダイジェスト蓄積用メモリの蓄積可能容量を用いることで、限られたメモリ容量に合わせたダイジェスト映像を生成することを特徴とする。
【００２３】
本願の請求項１４の発明は、映像データ蓄積部に保持されたコンテンツのデータを取り出し、前記コンテンツのダイジェスト映像を出力するためのダイジェスト映像自動作成方法であって、通信帯域の限られたシステムにおいて、通信経路で通信可能なデータの通信帯域を用いることで、限られた通信帯域に合わせたダイジェスト映像を生成することを特徴とする。
【００２４】
本願の請求項１５の発明は、映像データ蓄積部に保持されたコンテンツのデータを取り出し、メモリ容量の限られた機器において前記コンテンツのダイジェスト映像を出力するためのダイジェスト映像自動作成方法であって、ダイジェスト編集された映像データを蓄積するダイジェスト蓄積用メモリの蓄積可能容量を取得する蓄積可能容量取得ステップと、前記コンテンツの出力データ量を制限するため、ダイジェスト生成条件を設定するダイジェスト生成条件入力ステップと、前記蓄積可能容量取得ステップで取得された蓄積可能容量、及び前記ダイジェスト生成条件入力ステップから得られたダイジェスト生成条件から、ダイジェスト自動生成条件を作成するダイジェスト自動生成条件作成ステップと、前記ダイジェスト自動生成条件に基づき、前記映像データ蓄積部に保持されたコンテンツのダイジェスト映像を生成するダイジェスト生成ステップと、を具備することを特徴とする。
【００２５】
本願の請求項１６の発明は、映像データ蓄積部に保持されたコンテンツのデータを取り出し、通信帯域の限られたデータ通信経路を介してメモリ容量の限られた機器に前記コンテンツのダイジェスト映像を伝送して出力するためのダイジェスト映像自動作成方法であって、前記データ通信経路で通信可能なデータの通信帯域を取得する通信帯域取得ステップと、前記コンテンツの出力データ量を制限するため、ダイジェスト生成条件を設定するダイジェスト生成条件入力ステップと、前記通信帯域取得ステップで取得された通信帯域、及び前記ダイジェスト生成条件入力ステップから得られたダイジェスト生成条件から、ダイジェスト自動生成条件を作成するダイジェスト自動生成条件作成ステップと、前記ダイジェスト自動生成条件に基づき、前記映像データ蓄積部に保持されたコンテンツのダイジェスト映像を生成するダイジェスト生成ステップと、を具備することを特徴とする。
【００２６】
本願の請求項１７の発明は、請求項１３〜１６の何れか１項のダイジェスト映像自動作成方法において、前記ダイジェスト生成条件入力ステップは、ダイジェスト映像の再生成を行うか否かを選択する再生成選択ステップと、前記再生成選択ステップにより再生成が選択されたとき、ダイジェスト映像の再生成条件を入力するダイジェスト再生成条件入力ステップと、を有することを特徴とする。
【００２７】
本願の請求項１８の発明は、請求項１５のダイジェスト映像自動作成方法において、前記ダイジェスト生成ステップでは、前記ダイジェスト映像の蓄積可能容量に合わせてダイジェスト映像のビットレートを変換することを特徴とする。
【００２８】
本願の請求項１９の発明は、請求項１６のダイジェスト映像自動作成方法において、前記ダイジェスト生成ステップでは、前記データ通信経路の通信帯域に合わせてダイジェスト映像のビットレートを変換することを特徴とする。
【００２９】
本願の請求項２０の発明は、請求項１５のダイジェスト映像自動作成方法において、前記ダイジェスト生成ステップでは、前記ダイジェスト映像の蓄積可能容量に合わせてダイジェスト映像の画像サイズを変換することを特徴とする。
【００３０】
本願の請求項２１の発明は、請求項１６のダイジェスト映像自動作成方法において、前記ダイジェスト生成ステップでは、前記データ通信経路の通信帯域に合わせてダイジェスト映像の画像サイズを変換することを特徴とする。
【００３１】
本願の請求項２２の発明は、請求項１５のダイジェスト映像自動作成方法において、前記ダイジェスト生成ステップでは、前記ダイジェスト映像の蓄積可能容量に合わせてダイジェスト映像の画像圧縮フォーマットを変換することを特徴とする。
【００３２】
本願の請求項２３の発明は、請求項１６のダイジェスト映像自動作成方法において、前記ダイジェスト生成ステップでは、前記データ通信経路の通信帯域に合わせてダイジェスト映像の画像圧縮フォーマットを変換することを特徴とする。
【００３３】
本願の請求項２４の発明は、請求項１３〜２３の何れか１項のダイジェスト映像自動作成方法において、前記ダイジェスト自動生成条件作成ステップでは、ダイジェスト自動生成条件が、前記ダイジェスト生成条件入力ステップから入力されたダイジェスト生成条件を満たすことができない場合に、前記生成条件を満たせないことを通知することを特徴とする。
【００３４】
本願の請求項２５の発明は、映像データ蓄積部に保持されたコンテンツのデータを取り出し、前記コンテンツのダイジェスト映像を出力するためのダイジェスト映像自動作成方法を記録した記録媒体であって、メモリ容量の限られた機器において、ダイジェスト蓄積用メモリの蓄積可能容量を用いることで、限られたメモリ容量に合わせたダイジェスト映像を生成するダイジェスト映像自動作成プログラムを記載した記録媒体である。
【００３５】
本願の請求項２６の発明は、映像データ蓄積部に保持されたコンテンツのデータを取り出し、前記コンテンツのダイジェスト映像を出力するためのダイジェスト映像自動作成方法を記録した記録媒体であって、通信帯域の限られたシステムにおいて、通信経路で通信可能なデータの通信帯域を用いることで、限られた通信帯域に合わせたダイジェスト映像を生成するダイジェスト映像自動作成プログラムを記載した記録媒体である。
【００３６】
本願の請求項２７の発明は、映像データ蓄積部に保持されたコンテンツのデータを取り出し、メモリ容量の限られた機器において前記コンテンツのダイジェスト映像を出力するためのダイジェスト映像自動作成方法を記録した記録媒体であって、映像データ蓄積部に保持されたコンテンツのデータを取り出し、メモリ容量の限られた機器において前記コンテンツのダイジェスト映像を出力するため、ダイジェスト編集された映像データを蓄積するダイジェスト蓄積用メモリの蓄積可能容量を取得する蓄積可能容量取得ステップと、前記コンテンツの出力データ量を制限するため、ダイジェスト生成条件を設定するダイジェスト生成条件入力ステップと、前記蓄積可能容量取得ステップで取得された蓄積可能容量、及び前記ダイジェスト生成条件入力ステップから得られたダイジェスト生成条件から、ダイジェスト自動生成条件を作成するダイジェスト自動生成条件作成ステップと、前記ダイジェスト自動生成条件に基づき、前記映像データ蓄積部に保持されたコンテンツのダイジェスト映像を生成するダイジェスト生成ステップと、を具備するダイジェスト映像自動作成プログラムを記載した記録媒体である。
【００３７】
本願の請求項２８の発明は、映像データ蓄積部に保持されたコンテンツのデータを取り出し、通信帯域の限られたデータ通信経路を介してメモリ容量の限られた機器に前記コンテンツのダイジェスト映像を伝送して出力するためのダイジェスト映像自動作成方法を記録した記録媒体であって、映像データ蓄積部に保持されたコンテンツのデータを取り出し、通信帯域の限られたデータ通信経路を介してメモリ容量の限られた機器に前記コンテンツのダイジェスト映像を伝送して出力するため、前記データ通信経路で通信可能なデータの通信帯域を取得する通信帯域取得ステップと、前記コンテンツの出力データ量を制限するため、ダイジェスト生成条件を設定するダイジェスト生成条件入力ステップと、前記通信帯域取得ステップで取得された通信帯域、及び前記ダイジェスト生成条件入力ステップから得られたダイジェスト生成条件から、ダイジェスト自動生成条件を作成するダイジェスト自動生成条件作成ステップと、前記ダイジェスト自動生成条件に基づき、前記映像データ蓄積部に保持されたコンテンツのダイジェスト映像を生成するダイジェスト生成ステップと、を具備するダイジェスト映像自動作成プログラムを記載した記録媒体である。
【００３８】
本願の請求項２９の発明は、請求項２５〜２８の何れか１項のダイジェスト映像自動作成プログラムを記載した記録媒体において、前記ダイジェスト生成条件入力ステップは、ダイジェスト映像の再生成を行うか否かを選択する再生成選択ステップと、前記再生成選択ステップにより再生成が選択されたとき、ダイジェスト映像の再生成条件を入力するダイジェスト再生成条件入力ステップと、を有することを特徴とする。
【００３９】
本願の請求項３０の発明は、請求項２７のダイジェスト映像自動作成プログラムを記載した記録媒体において、前記ダイジェスト生成ステップでは、前記ダイジェスト映像の蓄積可能容量に合わせてダイジェスト映像のビットレートを変換することを特徴とする。
【００４０】
本願の請求項３１の発明は、請求項２８のダイジェスト映像自動作成プログラムを記載した記録媒体において、前記ダイジェスト生成ステップでは、前記データ通信経路の通信帯域に合わせてダイジェスト映像のビットレートを変換することを特徴とする。
【００４１】
本願の請求項３２の発明は、請求項２７のダイジェスト映像自動作成プログラムを記載した記録媒体において、前記ダイジェスト生成ステップでは、前記ダイジェスト映像の蓄積可能容量に合わせてダイジェスト映像の画像サイズを変換することを特徴とする。
【００４２】
本願の請求項３３の発明は、請求項２８のダイジェスト映像自動作成プログラムを記載した記録媒体において、前記ダイジェスト生成ステップでは、前記データ通信経路の通信帯域に合わせてダイジェスト映像の画像サイズを変換することを特徴とする。
【００４３】
本願の請求項３４の発明は、請求項２７のダイジェスト映像自動作成プログラムを記載した記録媒体において、前記ダイジェスト生成ステップでは、前記ダイジェスト映像の蓄積可能容量に合わせてダイジェスト映像の画像圧縮フォーマットを変換することを特徴とする。
【００４４】
本願の請求項３５の発明は、請求項２８のダイジェスト映像自動作成プログラムを記載した記録媒体において、前記ダイジェスト生成ステップでは、前記データ通信経路の通信帯域に合わせてダイジェスト映像の画像圧縮フォーマットを変換することを特徴とする。
【００４５】
本願の請求項３６の発明は、請求項２５〜３５の何れか１項のダイジェスト映像自動作成プログラムを記載した記録媒体において、前記ダイジェスト自動生成条件作成ステップでは、ダイジェスト自動生成条件が、前記ダイジェスト生成条件入力ステップから入力されたダイジェスト生成条件を満たすことができない場合に、前記生成条件を満たせないことを通知することを特徴とする。
【００４６】
【発明の実施の形態】
以下、本発明の実施の形態におけるダイジェスト映像自動作成・表示装置、及びダイジェスト映像自動作成方法について、図面を参照しつつ説明する。
（実施の形態１）
図１は本発明の実施の形態１によるダイジェスト映像自動作成・表示装置の全体構成を示すブロック図である。このダイジェスト映像自動作成・表示装置は、蓄積可能容量取得部１、ダイジェスト蓄積用メモリ２、ダイジェスト生成条件入力部３、ダイジェスト自動生成条件作成部４、ダイジェスト生成部５、映像データ蓄積部６、ダイジェスト表示部７を含んで構成される。
【００４７】
ダイジェスト蓄積用メモリ２は、ダイジェスト編集された映像データを蓄積するメモリであり、小型機器又は携帯端末にあっては、半導体メモリ又はメモリカードが用いられる。蓄積可能容量取得部１は、ダイジェスト蓄積用メモリ２の蓄積可能容量を取得するものである。ダイジェスト生成条件入力部３は、コンテンツの出力データ量を制限するため、ユーザがダイジェスト生成条件を設定するものである。ダイジェスト自動生成条件作成部４は、蓄積可能容量取得部１で取得された蓄積可能容量、及びダイジェスト生成条件入力部３から得られたダイジェスト生成条件から、ダイジェスト自動生成条件を作成するものである。ダイジェスト生成部５は、ダイジェスト自動生成条件に基づき、映像データ蓄積部６に保持されたコンテンツのダイジェスト映像を生成するものである。ダイジェスト表示部７は、ダイジェスト生成部５で生成されたダイジェスト映像を表示するものである。映像データ蓄積部６は、コンテンツの映像データを保持するものである。映像データ蓄積部６は、コンテンツサーバであったり、コンテンツ配信サーバであったりする。映像データ蓄積部６はダイジェスト蓄積用メモリ２の容量より遥かに多いデータ蓄積容量をもつ。
【００４８】
このような構成のダイジェスト映像自動作成・表示装置の動作について説明する。蓄積可能容量取得部１は、ダイジェスト蓄積用メモリ２の蓄積可能容量を取得し、ダイジェスト自動生成条件作成部４に通知する。ダイジェスト生成条件入力部３には、任意の入力インタフェースによりダイジェスト生成条件が入力される。ここで入力されたダイジェスト生成条件は、ダイジェスト自動生成条件作成部４に出力される。蓄積可能容量取得部１により取得された蓄積可能容量、及びダイジェスト生成条件入力部３により入力されたダイジェスト生成条件は、ダイジェスト自動生成条件作成部４に入力される。ダイジェスト自動生成条件作成部４はダイジェスト蓄積用メモリ２に蓄積するのに適切な生成条件を決定する。ここで得られたダイジェスト自動生成条件は、ダイジェスト生成部５に出力される。
【００４９】
ダイジェスト生成部５は、ダイジェスト自動生成条件作成部４によって決定された生成条件に基づき、映像データ蓄積部６に蓄積されている映像コンテンツのダイジェスト映像を生成する。ダイジェスト生成部５で生成されたダイジェスト映像はダイジェスト蓄積用メモリ２に蓄積される。ダイジェスト蓄積用メモリ２に蓄積されたダイジェスト映像は、必要に応じてダイジェスト表示部７に出力される。ダイジェスト表示部７は、蓄積用メモリ２から入力されたダイジェスト映像を表示する。
【００５０】
図２は、本実施の形態１におけるダイジェスト映像自動作成・表示装置の動作を示すフローチャートである。ここでは、ダイジェスト映像の個数をダイジェスト生成条件入力部３に入力するものとし、この場合のダイジェスト映像自動作成・表示装置の動作を図２を用いて説明する。
【００５１】
先ずステップＳ１では、蓄積可能容量取得部１はダイジェスト蓄積用メモリ２の蓄積可能容量を取得する。次のステップＳ２では、ダイジェスト生成条件入力部３において、生成したいダイジェスト映像の個数が入力される。そしてステップＳ３では、ダイジェスト自動生成条件作成部４は、ステップＳ１及びステップＳ２で得られた蓄積可能容量及びダイジェスト映像の個数を用いて、ダイジェスト自動生成条件を作成する。例えば、蓄積可能容量取得部１で取得されたダイジェスト蓄積用メモリ２の蓄積可能容量をＣとし、ダイジェスト生成条件入力部３に入力されたダイジェスト映像の個数をＮとする。そして、ダイジェスト自動生成条件作成部４で作成され、ダイジェスト生成条件で示されるダイジェスト映像１つのサイズがＳであるとすると、サイズＳは（１）式のように表わされる。
Ｓ＝Ｃ／Ｎ  ・・・（１）
【００５２】
ステップＳ４において、ダイジェスト生成部５は、上記のようにして得られたサイズＳよりも小さなサイズのダイジェスト映像を生成する。ところで（１）式で求められたサイズＳは、蓄積可能容量Ｃが小さく、ダイジェスト映像の個数Ｎが非常に多い場合に、映像として成り立たないくらい小さなサイズになる可能性も有り得る。このような場合、ダイジェスト映像の最小サイズの制限を設けておくことにより、入力されたダイジェスト映像の個数Ｎの条件は満たすことはできないが、最小限のダイジェスト映像が見られるようにすることもできる。この場合に、自動生成条件が入力生成条件を満たすことが不可能である旨を通知する機能を備えておくことにより、ユーザにダイジェストの作成状況を通知することが可能になる。
【００５３】
なお、個々の映像コンテンツのダイジェスト生成方法については、本発明内で限定することはしない。サイズＳの条件を満たすものであれば、従来から存在するように、シーンチェンジを手がかりに生成する方法を用いても良い。また、単に等間隔の位置から適当な長さの映像を抜き出して、１つのダイジェスト映像を生成する方法を用いても良い。
【００５４】
また図２において、ステップＳ１の処理とステップＳ２の処理はどちらを先に行っても良い。これらを入れ替えることによってステップＳ３により得られる結果は同じであることは明らかである。
【００５５】
以上のような方法を用いることにより、ダイジェスト生成条件入力部３に入力された条件を満たす数のダイジェスト映像を、ダイジェスト蓄積用メモリ２に蓄積可能なサイズで生成することが可能となる。
【００５６】
（実施の形態２）
次に本発明の実施の形態２におけるダイジェスト映像自動作成・表示装置について説明する。実施の形態２におけるダイジェスト映像自動作成・表示装置の構成は図１に示すものと同様である。図３は本実施の形態のダイジェスト映像自動作成・表示装置の動作を示すフローチャートである。実施の形態１に係る図２のステップＳ２に代えて、入力されるダイジェスト生成条件を図３のステップＳ１２で示すように、生成したいダイジェストのサイズとしている。
【００５７】
先ず、図３のステップＳ１１では、蓄積可能容量取得部１はダイジェスト蓄積用メモリ２の蓄積可能容量を取得する。次のステップＳ１２では、ダイジェスト生成条件入力部３は生成したいダイジェストのサイズを入力する。そしてステップＳ１３では、ダイジェスト自動生成条件作成部４はステップＳ１１及びステップＳ１２で得られた蓄積可能容量及びダイジェストのサイズを用いて、ダイジェスト自動生成条件を作成する。例えば、蓄積可能容量取得部１で取得されたダイジェスト蓄積用メモリ２の蓄積可能容量をＣとし、ダイジェスト生成条件入力部３に入力されたダイジェストのサイズをＳｚとし、ダイジェスト自動生成条件作成部４で作成され、ダイジェスト生成条件が生成するダイジェストの数がＮｄであるとすると、ダイジェストの数Ｎｄは（２）式のように表わされる。
Ｎｄ＝Ｃ／Ｓｚ・・・（２）
【００５８】
ステップＳ１４では、ダイジェスト生成部５は前記のようにして得られた数Ｎｄよりも少ない数のダイジェストを生成する。なお、ダイジェスト映像の最小サイズの制限を設けておくことにより、入力されたダイジェストのサイズが小さすぎて映像を見ることができないという問題を避けることができる。
【００５９】
なお、個々の映像コンテンツのダイジェスト生成方法については、本発明内で限定することはしない。また、ステップＳ１１の処理とステップＳ１２の処理はどちらを先に行っても良い。これらを入れ替えることによってステップＳ１３により得られる結果は同じであることは明らかである。
【００６０】
以上のような方法を用いることにより、ダイジェスト生成条件入力部３に入力された条件を満たすサイズのダイジェスト映像を、ダイジェスト蓄積用メモリ２に蓄積可能なサイズで生成することが可能となる。こうして生成されたダイジェスト映像は、映像コンテンツの内容を蓄積可能容量が許す最大のサイズ分で視聴できるようになる。
【００６１】
（実施の形態３）
次に本発明の実施の形態３におけるダイジェスト映像自動作成・表示装置について説明する。本実施の形態３におけるダイジェスト映像自動作成・表示装置の構成は図１に示すものと同様である。図４は本実施の形態におけるダイジェスト映像自動作成・表示装置の動作を示すフローチャートである。実施の形態１に係る図２の処理ステップに対し、図４ではステップＳ２５及びステップＳ２６が追加されている。実施の形態３においてステップＳ２１からステップＳ２４までの処理は、実施の形態１と同様であるため説明を省略する。以下に、新たに加わったステップＳ２５及びステップＳ２６について説明する。
【００６２】
ステップＳ２４によってダイジェスト映像が一旦作成された後にステップＳ２５に進み、ダイジェスト映像の生成条件を変更するか否かを判断する。ステップＳ２５においてダイジェスト再生成を選択し、その条件を入力すると、ステップＳ２６に分岐し、ダイジェスト自動生成条件を再生成する。またステップＳ２５においてダイジェスト再生成の条件が入力されなければ、最初に生成したダイジェスト映像を表示する。
【００６３】
ステップＳ２５及びステップＳ２６の処理を設けることで、生成されたダイジェスト映像サイズをもっと大きくしてより詳しい内容を得たいときなどに、変更が可能になる。例えば映像コンテンツのダイジェスト映像がステップＳ２３によって求められたダイジェスト映像のサイズＳよりも小さいものがあったとする。この場合ステップＳ２４によりダイジェスト映像が生成された後にもダイジェスト蓄積用メモリ２の蓄積可能な容量が残っていることになる。ここで、ステップＳ２５及びステップＳ２６の処理を行い、映像サイズの小さいコンテンツ以外のコンテンツのダイジェスト映像を再生成すると、初めに生成したダイジェスト映像よりも大きなサイズのダイジェスト映像を生成することが可能となる。具体的には、蓄積可能容量取得部１で取得されたダイジェスト蓄積用メモリ２の蓄積可能容量をＣ、サイズの小さいコンテンツＡのダイジェスト映像サイズをＣＡ、ダイジェスト生成条件入力部３に入力されたダイジェストの個数をＮとし、ダイジェスト自動生成条件作成部４で作成されるダイジェスト生成条件が生成するダイジェストのサイズＳ´であるとすると、サイズＳ´は（３）式のようになる。
Ｓ´＝（Ｃ−ＣＡ）／（Ｎ−１）・・・（３）
【００６４】
ステップＳ２４において、このようにして得られたサイズＳ´よりも小さなサイズのダイジェストをダイジェスト生成部５で再度生成する。以上のようにダイジェストを再生成することで、蓄積可能容量を有効に利用することが可能となる。
【００６５】
次に、映像データ蓄積部６に蓄積されている映像コンテンツ数が多過ぎて、全ての映像コンテンツのダイジェストがダイジェスト蓄積用メモリ２に入れられない状態になった場合を考える。ステップＳ２１からステップＳ２４を経て生成されたダイジェスト映像を見て、もっと多くのダイジェスト映像、もしくは長い時間のダイジェスト映像が見たくてダイジェスト映像の画像サイズは小さくなってもよい場合は、ステップＳ２５でダイジェスト再生成条件として画像サイズの縮小変更を追加する。例えば、映像コンテンツがＭＰＥＧ−２のデータであったときなどは、圧縮率の高いＭＰＥＧ−４のデータへ変換するという条件を追加してもよい。ステップＳ２６では、これらの条件からダイジェスト自動生成条件を再生成する。
【００６６】
また、ダイジェスト生成条件入力部３が映像データ蓄積部６に蓄積されている映像コンテンツを指定数ずつダイジェストとして取り込むような条件が入力できるようになっていれば、膨大な映像コンテンツのダイジェストを順に見ていくことも可能である。このことにより、ダイジェスト映像用の蓄積可能容量が少ない機器であっても、より多数の大きなダイジェストを見ることが可能となる。
【００６７】
なお、圧縮フォーマットの変換としてはＭＰＥＧ−２からＭＰＥＧ−４への変換を例としてあげたが、圧縮率が上がるフォーマット変換であれば、他の圧縮方法でも同様に実施可能である。
【００６８】
（実施の形態４）
次に本発明の実施の形態４におけるダイジェスト映像自動作成・表示装置について説明する。図５は本発明の実施の形態によるダイジェスト映像自動作成・表示装置の全体構成を示すブロック図である。このダイジェスト映像自動作成・表示装置は、表示装置１０Ａと、データ蓄積装置１１Ａとに区分されている。
【００６９】
表示装置１０Ａは、蓄積可能容量取得部１、ダイジェスト蓄積用メモリ２、ダイジェスト生成条件入力部３、ダイジェスト表示部７を含んで構成される。またデータ蓄積装置１１Ａは、ダイジェスト自動生成条件作成部４、ダイジェスト生成部５、映像データ蓄積部６を含んで構成される。
【００７０】
このように構成されたダイジェスト映像自動作成・表示装置の動作を説明する。図１を用いて説明したように、蓄積可能容量取得部１はダイジェスト蓄積用メモリ２の蓄積可能容量を取得する。取得された蓄積可能容量は、ダイジェスト自動生成条件作成部４に出力される。ダイジェスト生成条件入力部３には、任意の入力インタフェースによりダイジェスト生成条件が入力される。ここで入力されたダイジェスト生成条件は、ダイジェスト自動生成条件作成部４に出力される。
【００７１】
蓄積可能容量取得部１により取得された蓄積可能容量、及びダイジェスト生成条件入力部３により入力されたダイジェスト生成条件は、ダイジェスト自動生成条件作成部４に与えられる。ダイジェスト自動生成条件作成部４は、ダイジェスト蓄積用メモリ２に蓄積するのに適切な生成条件を決定する。ここで得られたダイジェスト自動生成条件は、ダイジェスト生成部５に出力される。
【００７２】
ダイジェスト生成部５では、ダイジェスト自動生成条件作成部４によって決定された条件に基づき、映像データ蓄積部６に蓄積されている映像コンテンツのダイジェスト映像を生成する。ダイジェスト生成部５で生成されたダイジェスト映像はダイジェスト蓄積用メモリ２に蓄積される。蓄積用メモリ２に蓄積されたダイジェスト映像は必要に応じてダイジェスト表示部７に出力される。ダイジェスト表示部７では、蓄積用メモリ２から入力されたダイジェスト映像を表示する。
【００７３】
表示装置１０Ａとしては、映像コンテンツを再生可能なモバイル機器などが考えられる。データ蓄積装置１１Ａとしては、家庭内のコンテンツサーバやコンテンツ配信事業者のサーバなどが考えられる。以下に一つの動作例を挙げる。
【００７４】
モバイル機器内の限られたダイジェスト蓄積用メモリ２の容量が取得され、モバイルの画面で家庭内のコンテンツサーバに存在する映像コンテンツのうち、いくつを視聴するかを選択又は入力したとする。ダイジェスト蓄積用メモリ２の容量、及び指定された数が、家庭内のデータ蓄積装置１１Ａであるコンテンツサーバに送られる。コンテンツサーバでは、送られた生成条件に基づきダイジェスト自動生成条件として、それぞれの映像コンテンツのダイジェスト映像サイズを決定する。この決定に基づきダイジェスト映像が生成される。生成されたダイジェスト映像はモバイル機器に送られ、モバイル機器のダイジェスト蓄積用メモリ２に蓄積される。ダイジェスト蓄積用メモリ２に蓄積されたダイジェスト映像は、再生ソフトにより再生される。再生ソフトには早送り再生機能が設けられており、ダイジェスト映像の内容を更にサーチしながら再生することもできる。
【００７５】
なお、本実施の形態では、表示装置１０Ａをモバイル機器、データ蓄積装置１１Ａを家庭内のコンテンツサーバとした。しかし、構成内容が同様であれば、表示装置１０ＡはクライアントＰＣであっても構わないし、データ蓄積装置１１Ａはコンテンツ配信事業者のデータサーバであっても構わない。
【００７６】
また、表示装置１０Ａとデータ蓄積装置１１Ａとの間のデータ受け渡し方法は、ＩＥＥＥ８０２．１１ｂなどのような無線ＬＡＮによるデータの転送であってもよく、イーサ・ケーブルのような有線によるデータの転送であってもよい。また、メモリカードを用いたものであっても構わない。
【００７７】
（実施の形態５）
次に本発明の実施の形態５におけるダイジェスト映像自動作成・表示装置について説明する。図６は本実施の形態５によるダイジェスト映像自動作成・表示装置の全体構成を示すブロック図である。このダイジェスト映像自動作成・表示装置も、表示装置１０Ｂと、データ蓄積装置１１Ｂとに区分されている。表示装置１０Ｂとデータ蓄積装置１１Ｂとはデータ通信経路８で結合されている。
【００７８】
表示装置１０Ｂは、ダイジェスト蓄積用メモリ２、ダイジェスト生成条件入力部３、ダイジェスト表示部７、通信帯域取得部９を含んで構成される。またデータ蓄積装置１１Ｂは、ダイジェスト自動生成条件作成部４、ダイジェスト生成部５、映像データ蓄積部６を含んで構成される。
【００７９】
このように構成されたダイジェスト映像自動作成・表示装置の動作について説明する。通信帯域取得部９はデータ通信経路８で通信可能な通信帯域サイズを取得する。取得された通信帯域サイズは、ダイジェスト自動生成条件作成部４に出力される。ダイジェスト生成条件入力部３には、任意の入力インタフェースによりダイジェスト生成条件が入力される。入力されたダイジェスト生成条件は、ダイジェスト自動生成条件作成部４に出力される。
【００８０】
通信帯域取得部９により取得された通信帯域サイズ、及びダイジェスト生成条件入力部３により入力されたダイジェスト生成条件は、ダイジェスト自動生成条件作成部４に入力される。ダイジェスト自動生成条件作成部４はダイジェスト蓄積用メモリ２に蓄積するのに適切な生成条件を決定する。ここで得られたダイジェスト自動生成条件は、ダイジェスト生成部５に出力される。
【００８１】
ダイジェスト生成部５では、ダイジェスト自動生成条件作成部４によって決定された条件に基づき、映像データ蓄積部６に蓄積されている映像コンテンツのダイジェスト映像を生成する。ダイジェスト生成部５で生成されたダイジェスト映像はデータ通信経路８を介して表示装置１０Ｂに伝送され、ダイジェスト蓄積用メモリ２に蓄積される。蓄積用メモリ２に蓄積されたダイジェスト映像はダイジェスト表示部７に出力される。ダイジェスト表示部７では、蓄積用メモリ２から入力されたダイジェスト映像を表示する。
【００８２】
図７は、本実施の形態５におけるダイジェスト映像自動作成・表示装置の動作を示すフローチャートである。図７を用いて本形態のダイジェスト映像自動作成・表示装置の動作を説明する。ここでは、ダイジェスト生成条件入力部３に入力されるダイジェスト生成条件が、ダイジェストの送信にかかる時間、及び生成されるダイジェストの数である場合のダイジェスト映像自動作成・表示装置の動作例を説明する。
【００８３】
先ずステップＳ３１では、通信帯域取得部９はデータ通信経路８で通信可能な通信帯域サイズを取得する。次にステップＳ３２では、ダイジェスト生成条件入力部３においてダイジェストの送信時間、及び生成されるダイジェスト数が入力される。そしてステップＳ３３では、ダイジェスト自動生成条件作成部４は、ステップＳ３１及びステップＳ３２で得られた通信帯域サイズ及びダイジェストの数を用いて、ダイジェスト自動生成条件を作成する。例えば、データ通信経路８がＩＥＥＥ８０２．１１ｂの規格のものである場合を考える。最大伝送速度は１１Ｍｂｐｓで、実際に５Ｍｂｐｓが確保できたとすると、通信帯域取得部９はこの５Ｍｂｐｓという情報を取得する。ダイジェスト生成条件入力部３に入力されたダイジェストの送信にかかる時間が例えば１０秒とし、生成されるダイジェストの数が６個であるとする。そして、ダイジェスト自動生成条件作成部４で作成されるダイジェスト生成条件が生成する条件、即ちダイジェスト映像１つのサイズがＳＴであるとすると、サイズＳＴは（４）式のように決定される。
ＳＴ（Ｍｂｉｔ）＝５Ｍｂｐｓ×１０秒／６個・・・（４）
【００８４】
ステップＳ３４に進むと、ダイジェスト生成部５はこのようにして得られたサイズＳＴよりも小さなサイズのダイジェスト映像を生成する。ステップＳ３４で生成されたダイジェスト映像はダイジェスト蓄積用メモリ２に蓄積される。ステップ３５において、蓄積されたダイジェスト映像は必要に応じてダイジェスト表示部７において表示される。
【００８５】
なお、ステップＳ３１の処理とステップＳ３２の処理はどちらを先に行っても良い。これらを入れ替えることによってステップＳ３３により得られる結果は同じであることは明らかである。以上のような方法を用いることにより、ダイジェスト生成条件入力部３に入力された条件を満たす時間で送信できるダイジェスト映像を、ダイジェスト蓄積用メモリに送信することが可能となる。
【００８６】
なお、以上のダイジェスト映像自動作成・表示方法のプログラムを記録媒体に記録し、この記録媒体に記録されたプログラムを所望の機器にダウンロードすることにより、当該機器にダイジェスト映像自動作成・表示装置の機能をもたせることができる。
【００８７】
【発明の効果】
以上のように本発明によれば、機器のデータ蓄積可能容量、又はダイジェスト映像のデータを取り込む通信帯域の情報を用いてダイジェスト映像を生成するため、機器に与えられた蓄積可能容量、通信帯域を最大限利用したダイジェスト映像を得ることができるという効果が得られる。
【００８８】
特に請求項３の発明によれば、生成されたダイジェスト映像の内容を更に短い時間で把握できる。
【００８９】
特に請求項４、５、６、７の発明によれば、生成されたダイジェスト映像の内容を更に嗜好に合うように変更することができる。
【００９０】
特に請求項８の発明によれば、ダイジェスト映像が短くなり過ぎて内容の把握が不可能であるという不具合を防止できる。
【００９１】
特に請求項９の発明によれば、ダイジェスト生成条件に合わないダイジェスト映像が生成されたことをユーザが知ることができる。
【図面の簡単な説明】
【図１】本発明の実施の形態１によるダイジェスト映像自動作成・表示装置の全体構成図である。
【図２】実施例の形態１によるダイジェスト映像自動作成・表示装置の動作を示すフローチャートである。
【図３】本発明の実施の形態２によるダイジェスト映像自動作成・表示装置の動作を示すフローチャートである。
【図４】本発明の実施の形態３によるダイジェスト映像自動作成・表示装置の動作を示すフローチャートである。
【図５】本発明の実施の形態４によるダイジェスト映像自動作成・表示装置の全体構成図である。
【図６】本発明の実施の形態５によるダイジェスト映像自動作成・表示装置の全体構成図である。
【図７】実施の形態５によるダイジェスト映像自動作成・表示装置の動作を示すフローチャートである。
【符号の説明】
１  蓄積可能容量取得部
２  ダイジェスト蓄積用メモリ
３  ダイジェスト生成条件入力部
４  ダイジェスト自動生成条件作成部
５  ダイジェスト生成部
６  映像データ蓄積部
７  ダイジェスト表示部
８  データ通信経路
９  通信帯域取得部
【図１】
2005020283.tif 000003
【図２】
2005020283.tif 000004
【図３】
2005020283.tif 000005
【図４】
2005020283.tif 000006
【図５】
2005020283.tif 000007
【図６】
2005020283.tif 000008
【図７】
2005020283.tif 000009